(57)【要約】【課題】  指先で簡単に且つ容易にカバー部材を開放することができる開放操作性の良い印刷装置を提供する。【解決手段】  レジスタ本体１の記録紙収納部１０を開閉可能に覆うカバー部材１２に開閉レバー２０を設けた。従って、カバー部材１２を開放する際、カバー部材１２を片手で触れることにより、開閉レバー２０を指先で容易に探して開閉レバー２０の位置を確認することができる。このため、指先で簡単に且つ容易に開閉レバー２０を操作することができ、これによりカバー部材１２を速やかに開放することができるので、カバー部材１２の開放操作性が良く、容易に記録紙６を交換することができる。【選択図】        図８
2010069695.tif 000002
【特許請求の範囲】
【請求項１】
キャッシュレジスタに搭載される印刷装置であって、
記録紙を収納する記録紙収納部、およびこの記録紙収納部から送り出された前記記録紙に情報を印字する印字部を有する装置本体と、
プラテンローラを有して前記装置本体に回動可能に取り付けられ、前記記録紙収納部を開閉可能に覆って前記プラテンローラを前記印字部に対面させた状態で、前記装置本体に対してロックされるカバー部材と、
このカバー部材に回動可能に取り付けられ、前記カバー部材を開放する際に前記装置本体に対する前記カバー部材のロックを解除する開閉レバーと、
を備えていることを特徴とする印刷装置。
【請求項２】
前記カバー部材は、前記記録紙収納部を覆った際に前記装置本体側に弾接して前記カバー部材を前記装置本体側の基準電位に揃えるための金属製のアースばねを備えていることを特徴とする請求項１に記載の印刷装置。
【請求項３】
前記装置本体は、前記カバー部材が前記記録紙収納部を覆った際に前記プラテンローラを係脱可能に係止するロック部材を備えており、
前記開閉レバーは、前記カバー部材を開放する際に前記ロック部材に対する前記プラテンローラの係止を解除するロック解除部を備えていることを特徴とする請求項１または請求項２に記載の印刷装置。
【請求項４】
前記開閉レバーには、前記ロック部材による前記プラテンローラの係止を前記ロック解除部が解除した際に、前記カバー部材に弾接して前記開閉レバーを前記カバー部材に対する初期位置に戻す方向に付勢するばね部が一体的に設けられていることを特徴とする請求項３に記載の印刷装置。
【請求項５】
前記カバー部材には、前記開閉レバーを上側に露出させるための開口部が設けられており、この開口部の縁部には、前記カバー部材に対する前記開閉レバーの外れを防ぐと共に、開閉操作時に手の指を前記開閉レバーの中間部に向けてガイドするための傾斜突起部が設けられていることを特徴とする請求項１〜請求項４のいずれかに記載の印刷装置。
【請求項６】
前記装置本体に設けられて前記印字部で印字された前記記録紙を切断するための固定刃と、前記カバー部材に設けられて前記記録紙収納部を前記カバー部材が覆った際に前記固定刃に対向し、この固定刃に向けて移動して前記印字部で印字された前記記録紙を前記固定刃と共に切断する可動刃とを備えていることを特徴とする請求項１〜請求項５のいずれかに記載の印刷装置。
【発明の詳細な説明】
【技術分野】
【０００１】
この発明は、キャッシュレジスタに用いられる印刷装置に関する。
【背景技術】
【０００２】
従来、印刷装置においては、特許文献１に記載されているように、装置本体内にロール状に巻かれた記録紙を収納する記録紙収納部を設け、この装置本体に記録紙収納部を開閉自在に覆うカバー部材を設け、このカバー部材が記録紙収納部を覆って閉じた際に、装置本体に設けられた印字部に、カバー部材に設けられたプラテンローラが対面し、このプラテンローラと印字部との間に、記録紙収納に収納された記録紙が送り込まれ、この送り込まれた記録紙に印字部が情報を印字するように構成されたものが知られている。
【特許文献１】特開２０００−１９０６０３
【発明の開示】
【発明が解決しようとする課題】
【０００３】
しかしながら、このような従来の印刷装置では、記録紙を交換する際、カバー部材を手で掴み、この状態で装置本体に対してカバー部材を回動させなければ、カバー部材を開くことができないため、カバー部材の開放操作が面倒であるという問題がある。例えば、このような印刷装置をキャッシュレジスタに搭載して用いた場合には、現金などの登録処理をしているときに、記録紙を交換する際、指先で簡単にカバー部材を開放させることができないため、容易に記録紙を交換することができない。
【０００４】
そこで、このような問題を解消するため、装置本体にカバー部材を開放するための、操作釦を設け、この操作釦を押してカバー部材を開放するように構成したものが開発されている。しかし、この種の印刷装置では、操作釦がカバー部材から離れているため、操作釦を探して操作釦の位置を確認しなければ、操作釦を操作することができないという問題がある。
【０００５】
この発明が解決しようとする課題は、カバー部材を手で触れることにより、容易に開閉レバーの位置を確認して、指先で簡単にカバー部材を開放することができる開放操作性の良い印刷装置を提供することである。
【課題を解決するための手段】
【０００６】
この発明は、上記課題を解決するために、次のような構成要素を備えている。
請求項１に記載の発明は、キャッシュレジスタに搭載される印刷装置であって、記録紙を収納する記録紙収納部、およびこの記録紙収納部から送り出された前記記録紙に情報を印字する印字部を有する装置本体と、プラテンローラを有して前記装置本体に回動可能に取り付けられ、前記記録紙収納部を開閉可能に覆って前記プラテンローラを前記印字部に対面させた状態で、前記装置本体に対してロックされるカバー部材と、このカバー部材に回動可能に取り付けられ、前記カバー部材を開放する際に前記装置本体に対する前記カバー部材のロックを解除する開閉レバーと、を備えていることを特徴とする印刷装置である。
【０００７】
請求項２に記載の発明は、前記カバー部材が、前記記録紙収納部を覆った際に前記装置本体側に弾接して前記カバー部材を前記装置本体側の基準電位に揃えるための金属製のアースばねを備えていることを特徴とする請求項１に記載の印刷装置である。
【０００８】
請求項３に記載の発明は、前記装置本体が、前記カバー部材で前記記録紙収納部を覆った際に前記プラテンローラを係脱可能に係止するロック部材を備えており、前記開閉レバーは、前記カバー部材を開放する際に前記ロック部材に対する前記プラテンローラの係止を解除するロック解除部を備えていることを特徴とする請求項１または請求項２に記載の印刷装置である。
【０００９】
請求項４に記載の発明は、前記開閉レバーに、前記ロック部材による前記プラテンローラの係止を前記ロック解除部が解除した際に、前記カバー部材に弾接して前記開閉レバーを前記カバー部材に対する初期位置に戻す方向に付勢するばね部が一体的に設けられていることを特徴とする請求項３に記載の印刷装置である。
【００１０】
請求項５に記載の発明は、前記カバー部材に、前記開閉レバーを上側に露出させるための開口部が設けられており、この開口部の縁部には、前記カバー部材に対する前記開閉レバーの外れを防ぐと共に、開閉操作時に手の指を前記開閉レバーの中間部に向けてガイドするための傾斜突起部が設けられていることを特徴とする請求項１〜請求項４のいずれかに記載の印刷装置である。
【００１１】
請求項６に記載の発明は、前記装置本体に設けられて前記印字部で印字された前記記録紙を切断するための固定刃と、前記カバー部材に設けられて前記記録紙収納部を前記カバー部材が覆った際に前記固定刃に対向し、この固定刃に向けて移動して前記印字部で印字された前記記録紙を前記固定刃と共に切断する可動刃とを備えていることを特徴とする請求項１〜請求項５のいずれかに記載の印刷装置である。
【発明の効果】
【００１２】
この発明によれば、開閉レバーを操作してカバー部材を開放する際、カバー部材を片手で触れることにより、開閉レバーの位置を指先で容易に確認することができる。このため、指先で簡単に且つ容易に開閉レバーを操作することができ、これによりカバー部材を速やかに開放することができるので、カバー部材の開放操作性が良く、容易に記録紙を交換することができる。
【発明を実施するための最良の形態】
【００１３】
以下、図１〜図１０を参照して、この発明の印刷装置をキャッシュレジスタに適用した一実施形態について説明する。ここで、キャッシュレジスタとは、スーパーマーケット、コンビニエンスストア、飲食店、小売店などの店舗に設置される電子キャッシュレジスタ、金銭登録機などの売上データ処理装置である。
このキャッシュレジスタは、図１〜図３に示すように、レジスタ本体１とドロア部２とを備え、このドロア部２上にレジスタ本体１が配置された構成になっている。この場合、ドロア部２は、ドロアケース２ａ内に引出し部２ｂが引き出し可能に収納され、この引出し部２ｂ内に貨幣など現金や金券を収容するように構成されている。
【００１４】
レジスタ本体１は、図１〜図３に示すように、後部側（図１では左側）が高く、前部側（図１では右側）が徐々に低くなる前下がり（図１では右下がり）に傾斜したほぼ山形の箱状に形成されている。このレジスタ本体１の上面における前側部には、キー入力部３が設けられており、その上面における後部側には、表示部４と印刷装置５とが並んで設けられている。
【００１５】
この場合、キー入力部３は、図１〜図３に示すように、現金などの登録処理に必要な各種のキーを備え、これらのキーが縦横に多数配列されている。表示部４は、液晶表示パネルやＥＬ（エレクトロルミネッセンス）表示パネルなどの平面型の表示パネルからなり、キー入力部３で入力された入力情報や処理結果などの情報を電気光学的に表示するように構成されている。
【００１６】
印刷装置５は、図２および図３に示すように、記録紙６に情報を印字して顧客に発行するレシート印刷部７と、顧客に発行したレシート情報を記録するためのジャーナル部８とを備え、これらが印刷カバー９によって着脱可能に覆われるように構成されている。レシート印刷部７は、レジスタ本体１に設けられた記録紙収納部１０と、この記録紙収納部１０の手前側上部（図２では右側上部）に位置するレジスタ本体１の箇所に設けられた印字ユニット１１と、記録紙収納部１０に対応するレジスタ本体１の箇所に開閉自在に設けられたカバー部材１２とを備えている。
【００１７】
記録紙収納部１０は、図３に示すように、上方に開放された凹部であり、その上方からロール状に巻かれた記録紙６が投入されることにより、このロール状に巻かれた記録紙６を回転可能な状態で収納するように構成されている。印字ユニット１１は、図４および図６に示すように、レジスタ本体１に取り付けられる金属製のシャーシ１１ａと、このシャーシ１１ａに取り付けられたサーマルヘッドからなる印字ヘッド１３とを備え、この印字ヘッド１３が記録紙収納部１０から送り出された記録紙６に情報を順次印字するように構成されている。
【００１８】
カバー部材１２は、図２〜図４に示すように、記録紙収納部１０を開閉自在に覆うためのものであり、その後端部（図２では左端部）が記録紙収納部１０の後部側上部に位置するレジスタ本体１の後部に回動可能に取り付けられている。このカバー部材１２の中央部には、図２、図３および図５に示すように、ほぼ四角形状の開口部１２ａが設けられていると共に、カバー部材１２の手前側部分（図５では右側部分）における両側には、印字ユニット１１の両側に沿って延びるアーム部１２ｂが設けられている。
【００１９】
このカバー部材１２の手前側部分における下面には、図３〜図５、図７に示すように、プラテンユニット１４が設けられている。このプラテンユニット１４は、図７および図８に示すように、カバー部材１２の下面に取り付けられた金属製のユニット本体１５と、カバー部材１２が記録紙収納部１０を覆って閉じた際に印字ユニット１１の印字ヘッド１３に対面するプラテンローラ１６とを備えている。プラテンローラ１６は、図７および図８に示すように、円柱状のプラテン本体１６ａと、このプラテン本体１６ａが取り付けられた軸部１６ｂとを備え、この軸部１６ｂがユニット本体１５に回転可能に取り付けられている。
【００２０】
この場合、印字ユニット１１のシャーシ１１ａには、図６および図８に示すように、プラテンローラ１６の軸部１６ｂの両端部を係脱可能に係止して回転可能に保持するロック部材１７が設けられている。このロック部材１７は、図６および図８に示すように、印字ユニット１１のシャーシ１１ａに回動可能に設けられたアーム本体１７ａと、このアーム本体１７ａの一端部に設けられてプラテンローラ１６の軸部１６ｂを回転可能に保持する軸保持部１７ｂと、アーム本体１７ａの他端部に設けられた解除突起部１７ｃとを備えている。
【００２１】
アーム本体１７ａは、図５、図６および図８に示すように、印字ユニット１１の一方の側部（図５では手前側）に位置し、その一端部が印字ヘッド１３に接近する位置に対応し、他端部がカバー部材１２のプラテンユニット１４の下側に接近する位置に対応し、この状態で印字ユニット１１に回転可能に取り付けられ、一端部側の軸保持部１７ｂがプラテンローラ１６の軸部１６ｂを保持する方向（つまり時計回りの方向）に向けて常に付勢されるように構成されている。
【００２２】
軸保持部１７ｂは、図６および図８に示すように、印字ヘッド１３側に向けて開放されたほぼ半円形の凹部を有する形状に形成されている。すなわち、この軸保持部１７ｂは、図８に示すように、プラテンローラ１６の軸部１６ｂが挿入することにより、プラテンローラ１６の軸部１６ｂを回転可能な状態で係止してロックし、図９に示すように、アーム本体１７ａが反時計回りに回動して軸保持部１７ｂの開放部分が上側に向いたときに、プラテンローラ１６の軸部１６ｂに対する係止を解除するように構成されている。
【００２３】
解除突起部１７ｃは、図８に示すように、プラテンユニット１４の下側に接近する位置に対応して配置され、カバー部材１２が記録紙収納部１０を覆って閉じた際に、後述する開閉レバー２０の下側に位置し、この状態で図９に示すように、後述する開閉レバー２０によって押し下げられると、アーム本体１７ａが反時計回りに回動して軸保持部１７ｂによるプラテンローラ１６の軸部１６ｂに対する係止を解除するように構成されている。
【００２４】
ところで、カバー部材１２には、図７〜図１０に示すように、これを開くための開閉レバー２０が回動可能に取り付けられている。この開閉レバー２０は、図７および図８に示すように、カバー部材１２の下面側に設けられて、カバー部材１２の開口部１２ａにおける手前側（図８では右側）の縁部からカバー部材１２の上方に突出するレバー本体２０ａと、ロック部材１７の解除突起部１７ｃを押し下げるためのロック解除部２０ｂと、レバー本体２０ａをカバー部材１２に対する初期位置に向けて付勢するための板ばね部２０ｃとを備えている。
【００２５】
レバー本体２０ａは、図５および図７に示すように、合成樹脂によってほぼ板状に形成され、図８に示すように、その先端部（図８では左側の上端部）がカバー部材１２の開口部１２ａにおける手前側（図８では右側）の縁部からカバー部材１２の上方に突出し、この状態で図９に示すように、下部側がカバー部材１２の下部側における両側部に取付軸２０ｄによって上下方向に回動可能に取り付けられている。
【００２６】
ロック解除部２０ｂは、図８に示すように、レバー本体２０ａの下部から印字ユニット１１側に向けて突出して設けられ、印字ユニット１１のロック部材１７における解除突起部１７ｃの上側に位置し、この状態で図９に示すように、レバー本体２０ａが取付軸２０ｄを中心に時計回りに回動すると、ロック部材１７の解除突起部１７ｃを押し下げるように構成されている。
【００２７】
板ばね部２０ｃは、図７〜図９に示すように、レバー本体２０ａの下側後部（図８では下部左側の部分）からカバー部材１２の下面に向けて先端部（図８では左側の上端部）が延出された状態で、レバー本体２０ａに一体に形成されている。この板ばね部２０ｃは、図８に示すように、カバー部材１２が記録紙収納部１０を覆って閉じた状態のときに、先端部がカバー部材１２の下面に接近して配置されるように構成されている。
【００２８】
また、この板ばね部２０ｃは、図８に示すように、先端部がカバー部材１２の下面に接近して配置された状態で、図９に示すように、レバー本体２０ａが取付軸２０ｄを中心に時計回りに回動すると、先端部がカバー部材１２の下面に弾接して、レバー本体２０ａをカバー部材１２に対する初期位置（図８に示す位置）に向けて付勢することにより、レバー本体２０ａをカバー部材１２に対して弾力的に保持するように構成されている。
【００２９】
また、カバー部材１２の下面には、図７および図８に示すように、アースばね２１が設けられている。このアースばね２１は、図８および図９に示すように、カバー部材１２とプラテンユニット１４との間に配置された金属板２１ａの両側に一体に設けられて、カバー部材１２の両側に位置するアーム部１２ｂの下面に沿って配置され、このアーム部１２ｂの先端部に位置するばね部２１ｂが印字ユニット１１の金属製のシャーシ１１ａに弾接すように構成されている。
【００３０】
これにより、カバー部材１２は、手などの人体からの静電気をアースばね２１によって印字ユニット１１の金属製のシャーシ１１ａに導いて、レジスタ本体１側の基準電位に落として、カバー部材１２をレジスタ本体１側の基準電位に揃えるように構成されている。また、このカバー部材１２の開口部１２ａにおける縁部には、図７および図８に示すように、開閉レバー２０が時計回りと反対方向に回動したときにカバー部材１２から外れるのを防ぐと共に、開閉レバー２０の操作時に手の指を開閉レバー２０の中心側に向けてガイドするための傾斜突起部１２ｃが設けられている。
【００３１】
一方、印字ユニット１１の上側に位置するレジスタ本体１の箇所には、図８に示すように、固定刃２２と紙ガイド部２３とが設けられている。固定刃２２は、その刃先が印字ヘッド１３の上方に位置した状態で、後部下がり（図８では右下がり）に少し傾いて配置されている。紙ガイド部２３は、固定刃２２の先端側上部から後部上がり（図８では右下がり）に傾斜する傾斜面２３ａを有し、印字ヘッド１１で印字されて送り出された記録紙６を傾斜面２３ａでガイドすることにより、記録紙６を切断可能な角度で固定刃２２の刃先に当てるように構成されている。
【００３２】
また、カバー部材１２に設けられたプラテンユニット１４には、図８に示すように、可動刃２４が設けられている。この可動刃２４は、図８に示すように、カバー部材１２が記録紙収納部１０を覆って閉じた際に、印字された記録紙６を挟んで固定刃２２の前側(図８では左側)に対向し、この状態で固定刃２２に向けて移動することにより、記録紙６を固定刃２２と共に挟んで切断するように構成されている。
【００３３】
すなわち、この可動刃２４は、両側が固定刃２２側に向けて突出し、中間部が窪んだほぼ「く」の字形状に形成され、記録紙６を両側から切断し、記録紙６の中央部が切断されないように構成されている。また、この可動刃４は、図示しないが、固定刃２２側に向けて押し出された状態で、ロック部材１７によるロックが解除されてカバー部材１２が開いたときに、自動的に図８に示す初期位置、つまり固定刃２２から離れる方向に移動して、可動刃２４の刃先がカバー部材１２の下側に隠れるように構成されている。
【００３４】
この場合、印字ユニット１１およびカバー部材１２には、図５に示すように、プラテンローラ１６を駆動するための第１駆動装置２５と、可動刃２４を駆動するための第２駆動装置２６とが設けられている。第１駆動装置２５は、第１モータ２５ａと、印字ユニット１１に設けられた印字側の第１歯車機構２５ｂと、カバー部材１２に設けられたプラテン側の第２歯車機構２５ｃとを備えている。
【００３５】
この第１駆動装置２５は、カバー部材１２が記録紙収納部１０を覆って閉じたときに、プラテン側の第２歯車機構２５ｃが印字側の第１歯車機構２５ｂに噛み合うことにより、第１モータ２５ａの回転がプラテンローラ１６に伝達されて、プラテンローラ１６が回転するように構成されている。また、この第１駆動装置２５は、カバー部材１２が開いて記録紙収納部１０を開放したとき、プラテン側の第２歯車機構２５ｃが印字側の第１歯車機構２５ｂから離れることにより、第１モータ２５ａの回転がプラテンローラ１６に伝達されないように構成されている。
【００３６】
第２駆動装置２６は、第１駆動装置２５と同様、第２モータ２６ａと、印字ユニット１１に設けられた印字側の第３歯車機構と、カバー部材１２に設けられた可動刃２４側の第４歯車機構（いずれも図示せず）とを備えている。この第２駆動装置２６も、カバー部材１２が記録紙収納部１０を覆って閉じたときに、可動刃２４側の第４歯車機構が印字側の第３歯車機構に噛み合うことにより、第２モータ２６ａの回転が可動刃２４に伝達されて、可動刃２４を固定刃２２に向けて移動させるように構成されている。
【００３７】
また、この第２駆動装置２６も、カバー部材１２が開いて記録紙収納部１０を開放したとき、可動刃２４側の第４歯車機構が印字側の第３歯車機構から離れ、第２モータ２６ａの回転が可動刃２４に伝達されないことにより、仮に可動刃２４が固定刃２２に向けて移動していた場合にも、その可動刃２４が図８に示す初期位置、つまり可動刃２４の刃先がカバー部材１２の下側に隠れる位置に戻るように構成されている。
【００３８】
なお、印字ユニット１１は、図５に示すように、フレキシブルな配線基板２７によってレジスタ本体１の電子回路（図示せず）と電気的に接続されている。これにより、印字ユニット１１の印字ヘッド１３、第１駆動装置２５の第１モータ２５ａ、および第２駆動装置２６の第２モータ２６ａは、フレキシブルな配線基板２７によってレジスタ本体１の電子回路（図示せず）と電気的に接続されている。
【００３９】
次に、この印刷装置５の作用について説明する。
まず、カバー部材１２を開いた状態で、記録紙収納部１０内にロール状に巻かれた記録紙６を投入し、この投入された記録紙６の先端部を印字ユニット１１の上側に引き出す。この状態で、カバー部材１２を閉じて記録紙収納部１０を覆うと、図８に示すように、プラテンユニット１４のプラテンローラ１６が印字ユニット１１の印字ヘッド１３に記録紙６を挟んで対面して、プラテンローラ１６がロック部材１７にロックされる。
【００４０】
すなわち、このときには、プラテンローラ１６の軸部１６ｂがロック部材１７の軸保持部１７ｂに回転可能に保持され、この状態でカバー部材１２の下面に設けられたアースばね２１が印字ユニット１１の金属製のシャーシ１１ａに弾接する。これにより、手などの人体の静電気がカバー部材１２に帯電していても、その静電気をアースばね２１によって印字ユニット１１の金属製のシャーシ１１ａに導いてレジスタ本体１側の基準電位に落とすことができ、人体などの静電気によってレジスタ本体１の電子回路が破壊されるのを防ぐことができる。
【００４１】
このときには、カバー部材１２の可動刃２４が記録紙６を挟んで印字ユニット１１側の固定刃２２に対向して配置される。また、このときには、第１駆動装置２５の印字側の第１歯車機構２５ｂとプラテン側の第２歯車機構２５ｃとが噛み合い、第１モータ２５ａによってプラテンローラ１６が回転可能な状態になると共に、第２駆動装置２６の印字側の第３歯車機構と可動刃２４側の第４歯車機構とが噛み合い、第２モータ２６ａによって可動刃２４が動作可能な状態になる。
【００４２】
この状態で、印字ユニット１１の印字ヘッド１３とプラテンユニット１４のプラテンローラ１６とが駆動されると、図８に示すように、印字ヘッド１３が記録紙６に情報を順次印字しながら、プラテンローラ１６が回転して印字された記録紙６を紙ガイド部２３に沿ってレジスタ本体１の上方に順次送り出す。そして、印字ヘッド１３による印字が終了してプラテンローラ１６の回転が停止すると、可動刃２４が駆動されて固定刃２２に向けて移動し、印字された記録紙６を切断して、レシートとして発行する。
【００４３】
次に、記録紙６の残量が少なくなって記録紙６を交換する場合について説明する。
このときには、カバー部材１２に手を載せると、手の指がカバー部材１２の開口部１２ａに自然に挿入し、この挿入した指を手前側に移動させると、開口部１２ａ内に挿入された指が自然に開閉レバー２０に当接する。この場合には、開口部１２ａの縁部に傾斜突起部１２ｃが設けられているので、この傾斜突起部１２ｃによって手の指を開閉レバー２０の中間部に向けてガイドすることができ、これにより確実に指先を開閉レバー２０に導くことができる。
【００４４】
そして、開閉レバー２０のレバー本体２０ａを指先で手前側に引いて時計回りに回動させると、図９に示すように、レバー本体２０ａの下部に設けられたロック解除部２０ｂが、印字ユニット１１に設けられたロック部材１７の解除突起部１７ｃを押し下げる。すると、ロック部材１７のアーム本体１７ａが反時計回りに回動し、軸保持部材１７ｂによるプラテンローラ１６の軸部１６ｂに対する係止を解除するので、カバー部材１７が開放可能な状態になる。
【００４５】
このときには、図９に示すように、開閉レバー２０のレバー本体２０ａに一体に形成された板ばね部２０ｃの先端部がカバー部材１２の下面に弾接し、レバー本体２０ａをカバー部材１２に対する初期位置に向けて付勢するので、カバー部材１２が開放可能な状態になっても、開閉レバー２０が軸部２０ｄを中心に勝手に回動することがなく、カバー部材１２に対して開閉レバー２０を安定させた状態で保持することができる。
【００４６】
この状態で、開閉レバー２０を持ち上げると、図１０に示すように、カバー部材１２がその後部を中心に反時計回りに回動し、図３に示すように、記録紙収納部１０の後部側に起立して記録紙収納部１０を開放する。これにより、記録紙収納部１０が手前側上方に向けて開放されることになるので、記録紙６を容易に交換することができる。
【００４７】
このように、このキャッシュレジスタの印刷装置５によれば、レジスタ本体１の記録紙収納部１０を開閉可能に覆うカバー部材１２に開閉レバー２０が設けられているので、この開閉レバー２０によってカバー部材１２を開放する際、カバー部材１２を片手で触れることにより、開閉レバー２０を指先で容易に探して開閉レバー２０の位置を確認することができる。このため、指先で簡単に且つ容易に開閉レバー２０を操作することができ、これによりカバー部材１２を速やかに開放することができるので、カバー部材１２の開放操作性が良く、容易に記録紙６を交換することができる。
【００４８】
この場合、カバー部材１２には、開閉レバー２０を上側に露出させるための開口部１２ａが設けられており、この開口部１２ａの縁部には、カバー部材１２に対する開閉レバー２０の外れを防ぐと共に、開閉操作時に手の指を開閉レバー２０の中間部に向けてガイドするための傾斜突起部１２ｃが設けられているので、カバー部材１２に手を載せると、手の指がカバー部材１２の開口部１２ａに自然に挿入し、この挿入した指先を手前側に移動させると、その指先が自然に開閉レバー２０に当接する。このとき、開口部１２ａの縁部に設けられた傾斜突起部１２ｃによって指先を開閉レバー２０の中間部に向けてガイドすることができ、これにより確実に指先を開閉レバー２０に導くことができる。
【００４９】
また、この印刷装置５では、カバー部材１２を開く際に、開閉レバー２０を操作すると、開閉レバー２０のロック解除部２０ｂがレジスタ本体１の印字ユニット１１に設けられたロック部材１７によるプラテンローラ１６に対する係止を解除するので、開閉レバー２０を操作するだけで、カバー部材１２を速やかに開放することができると共に、この開閉レバー２０がカバー部材１２に設けられているので、開閉レバー２０の操作と連続した動作で開閉レバー２０と共にカバー部材１２を開放することできるので、カバー部材１２の開放操作性が良い。
【００５０】
すなわち、開閉レバー２０のレバー本体２０ａを手前側に引いて時計回りに回動させると、図９に示すように、レバー本体２０ａの下部に設けられたロック解除部２０ｂが、印字ユニット１１に設けられたロック部材１７の解除突起部１７ｃを押し下げるので、ロック部材１７のアーム本体１７ａが反時計回りに回動し、軸保持部材１７ｂによるプラテンローラ１６の軸部１６ｂに対する係止を解除することができ、これによりカバー部材１７を開放することができる。
【００５１】
この場合、開閉レバー２０には、ロック部材１７によるプラテンローラ１６の係止をロック解除部２０ｂが解除した際に、カバー部材１７に弾接して開閉レバー２０をカバー部材１２に対する初期位置に戻す方向に付勢する板ばね部２０ｃが一体的に設けられているので、開閉レバー２０が回動してプラテンローラ１６に対する係止を解除したとき、カバー部材１２が開放可能な状態になっても、板ばね部２０ｃによって開閉レバー２０がカバー部材１２に対して勝手に回動することがなく、安定した状態で開閉レバー２０をカバー部材１２に対して保持することができ、これにより安定した状態でカバー部材１２を良好に開くことができる。
【００５２】
また、この印刷装置５によれば、カバー部材１２が、記録紙収納部１０を覆った際にレジスタ本体１側に弾接してカバー部材１２をレジスタ本体１側の基準電位に揃えるための金属製のアースばね２１を備えているので、手などの人体の静電気がカバー部材１２に帯電していても、その静電気をアースばね２１によってレジスタ本体１側の基準電位に落とすことができ、これにより人体などの静電気によってレジスタ本体１の電子回路が破壊されるのを確実に防ぐことができる。
【００５３】
さらに、この印刷装置５によれば、レジスタ本体１に設けられて印字ヘッド１３で印字された記録紙６を切断するための固定刃２２と、カバー部材１２に設けられて記録紙収納部１０をカバー部材１２が覆った際に固定刃２２に対向し、この固定刃２２に向けて移動して印字された記録紙６を固定刃２２と共に切断する可動刃２４とを備えているので、固定刃２２と可動刃２４とによって記録紙６を挟み付けた状態で、円滑に且つ確実に切断することができる。
【００５４】
この場合、固定刃２２は、その刃先が印字ヘッド１３の上方に位置した状態で、後部下がり（図８では右下がり）に少し傾いて配置されており、紙ガイド部２３は、この固定刃２２の先端側上部に紙ガイド部２３が設けられ、この紙ガイド部２３が後部上がり（図８では右下がり）に傾斜する傾斜面２３ａを有し、印字ヘッド１１で印字されて送り出された記録紙６を傾斜面２３ａでガイドすることにより、記録紙６を切断可能な角度で固定刃２２の刃先に当てることができるので、可動刃２４を用いずに、固定刃２２のみで手動操作によって記録紙６を切断することができる。
【００５５】
また、可動刃２４は、固定刃２２側に向けて押し出された状態で、ロック部材１７によるロックが解除されてカバー部材１２が開いたときに、自動的に固定刃２２から離れる方向に移動して、可動刃２４の刃先がカバー部材１２の下側に隠れる初期位置に戻るので、カバー部材１２が開いたときに、可動刃２４によって手や指を傷付けることがなく、安全性の高いものを得ることができる。
【図面の簡単な説明】
【００５６】
【図１】この発明を適用したキャッシュレジスタの一実施形態を示した外観斜視図である。
【図２】図１のキャッシュレジスタにおいて印刷装置の印刷カバーを取り外した状態を示した斜視図である。
【図３】図２のキャッシュレジスタにおいて印刷装置のカバー部材を開いて記録紙収納部を開放した状態を示した斜視図である。
【図４】図２のキャッシュレジスタにおいて印刷装置の一部を破断して示した拡大側面図である。
【図５】図２の印刷装置における要部を拡大して示した分解斜視図である。
【図６】図５の印字ユニットを示した要部の拡大側面図である。
【図７】図５のカバー部材のプラテンユニットを分解して示した要部の拡大側面図である。
【図８】図４の印刷装置における要部を示した拡大断面図である。
【図９】図８において開閉レバーを操作した状態を示した要部の拡大断面図である。
【図１０】図９において開閉レバーと共にカバー部材を回動させて記録紙収納部を開放させた状態を示した要部の拡大断面図である。
【符号の説明】
【００５７】
１  レジスタ本体
５  印刷装置
６  記録紙
１０  記録紙収納部
１１  印字ユニット
１１ａ  シャーシ
１２  カバー部材
１２ａ  開口部
１２ｂ  アーム部
１２ｃ  傾斜突起部
１３  印字ヘッド
１４  プラテンユニット
１５  ユニット本体
１６  プラテンローラ
１６ａ  プラテン本体
１６ｂ  軸部
１７  ロック部材
１７ａ  アーム本体
１７ｂ  軸保持部
１７ｃ  解除突起部
２０  開閉レバー
２０ａ  レバー本体
２０ｂ  ロック解除部
２０ｃ  板ばね部
２１  アースばね
２２  固定刃
２３  紙ガイド部
２４  可動刃
【図１】
2010069695.tif 000003
【図２】
2010069695.tif 000004
【図３】
2010069695.tif 000005
【図４】
2010069695.tif 000006
【図５】
2010069695.tif 000007
【図６】
2010069695.tif 000008
【図７】
2010069695.tif 000009
【図８】
2010069695.tif 000010
【図９】
2010069695.tif 000011
【図１０】
2010069695.tif 000012